(57)【要約】  本発明の吸気制御装置は、通路部材（１０）、スロットルボディ（２０）、スロットルバルブ（３０）、電動モータ（４０）、動力伝達機構（５０）を備え、スロットルボディ（２０）は、スロットルボアを画定する金属製の筒状部（２１）、一方側において筒状部及び電動モータをかつ他方側において動力伝達機構をそれぞれ位置付けて保持するフランジ部（２２）を有し、伝熱部材（６０）が電動モータと筒状部との間に介在するように設けられ、通路部材（１０）が、樹脂製で、吸気通路を横切る方向から，スロットルボディの筒状部，伝熱部材，及び電動モータを含むアセンブリ（Ａ）を挿入する挿入口、挿入口から挿入されたアセンブリを囲繞して収容する収容室を有する。これによれば、電動モータの発熱を有効に利用してスロットルバルブ周りの氷結を確実に防止できる。
2012141159.tif 000002
【特許請求の範囲】
【請求項１】
樹脂材料により形成されて吸気通路を画定する通路部材と、前記通路部材に固定されて前記吸気通路と連通するスロットルボアを画定するスロットルボディと、前記スロットルボアを開閉するべく前記スロットルボディに設けられたスロットルバルブと、前記スロットルバルブを開閉駆動するための駆動力を生じる電動モータと、前記電動モータの駆動力を前記スロットルバルブに伝達する動力伝達機構と、前記電動モータから発せられる熱を伝える伝熱部材と、を備えた吸気制御装置であって、
前記スロットルボディは、前記スロットルボアを画定するべく金属材料により形成された筒状部と、一方側において前記筒状部及び電動モータを位置付けて保持しかつ他方側において前記動力伝達機構を位置付けて保持するように形成されたフランジ部とを有し、
前記伝熱部材は、前記電動モータと前記筒状部との間に介在するように設けられ、
前記通路部材は、前記吸気通路を横切る方向から，前記スロットルボディの筒状部，前記伝熱部材，及び前記電動モータを含むアセンブリを挿入する挿入口と、前記挿入口から挿入されたアセンブリを囲繞して収容する収容室とを有する、
ことを特徴とする吸気制御装置。
【請求項２】
前記フランジ部は、前記筒状部とは別体に樹脂材料により形成され、
前記筒状部は、前記フランジ部に固定されている、
ことを特徴とする請求項１に記載の吸気制御装置。
【請求項３】
前記フランジ部は、前記通路部材の挿入口を閉塞するように、前記通路部材に接合して固定されている、
ことを特徴とする請求項２に記載の吸気制御装置。
【請求項４】
前記伝熱部材は、変形自在な材料からなる、
ことを特徴とする請求項１ないし３いずれか一つに記載の吸気制御装置。
【請求項５】
前記伝熱部材は、前記筒状部と同一の金属材料により一体的に形成されている、
ことを特徴とする請求項１ないし３いずれか一つに記載の吸気制御装置。
【請求項６】
前記スロットルボディのフランジ部には、前記動力伝達機構を覆うにように樹脂材料により形成されたカバー部材が組み付けられている、
ことを特徴とする請求項１ないし５いずれか一つに記載の吸気制御装置。
【請求項７】
前記カバー部材には、前記スロットルバルブの開度を検出する検出センサ及び電気的接続を行うコネクタが配置されている、
ことを特徴とする請求項６に記載の吸気制御装置。
【請求項８】
前記スロットルボディの筒状部は、前記スロットルボアの両端を画定する壁面が前記通路部材への挿入方向に向けて先細りするくさび状に形成されている、
ことを特徴とする請求項１ないし７いずれか一つに記載の吸気制御装置。
【発明の詳細な説明】
【技術分野】
【０００１】
本発明は、内燃エンジンの吸気系に配置される吸気制御装置に関し、特に、吸気通路を開閉するスロットルバルブを電動モータにより開閉駆動する吸気制御装置に関する。
【背景技術】
【０００２】
自動車等に搭載される内燃エンジンの吸気制御装置としては、吸気管に対して吸気通路の伸長方向から着脱自在に固定されると共に吸気通路に連通するスロットルボアを画定するように樹脂材料により形成されたスロットルボディ、スロットルボアを開閉するべくスロットルボディに組み込まれたスロットルバルブ、スロットルボディにより画定される収容空間内に配置された電動モータ、電動モータの回転駆動力をスロットルバルブ（のシャフト）に伝達する動力伝達機構等を備えた構成において、吸気通路を画定する通路外壁と電動モータとの間に金属ブロックを配置し、金属ブロックを介して電動モータの熱を吸気通路の壁面（スロットルバルブの周り）に伝達することにより、水分等の氷結（アイシング）等を防止するようにしたものが知られている（例えば、特許文献１参照）。
この装置においては、スロットルボディそのものが、吸気系の輪郭の一部をなすように露出した状態で吸気管に継ぎ足すように形成されているため、吸気系（吸気管、吸気コレクタ、吸気導入ダクト等）のレイアウトに制約がある場合に、その配置は容易ではなく、又、スロットルボディそのものが電動モータを収容するように形成されているため全体的に外輪郭が大きくなり、さらに、吸気通路を画定する円筒部を含めてスロットルボディ全体が樹脂材料により形成されているため、電動モータから発せられた熱は、金属ブロックまでは伝わるとしても、吸気通路を画定する樹脂製の円筒部には伝わり難く、金属ブロックから放熱してしまい効率が悪い。【０００３】
また、他の吸気制御装置としては、吸気管に対して吸気通路を横切るように差し込まれて固定されると共に吸気通路と連通するスロットルボアを画定するスロットルボディ、スロットルボアを開閉するべくスロットルボディに組み込まれたスロットルバルブ等を備えた構成において、水分等の凝縮液がスロットルバルブの周りに流れ込むのを規制する規制壁を、スロットルバルブよりも上流側及び下流側に設けて、氷結（アイシング）等を防止するようにしたものが知られている（例えば、特許文献２を参照）。
この装置においては、スロットルボディが吸気管に対して吸気通路を横切るように差し込まれて固定されるものであるため、前述のような継ぎ足しによるレイアウト上の制約、大型化等の問題は解消されるものの、鉛直方向の上側と下側に配置された方向性に依存する規制壁により単に凝縮液の流れを規制するだけであって、スロットルバルブの近傍に発熱源を配置するものではないため、自動車等の状態すなわち吸気管（スロットルボディ）の姿勢によっては、氷結等を完全に防止できない虞がある。
【先行技術文献】
【特許文献】
【０００４】
【特許文献１】特開２００８−１３８５３０号公報
【特許文献２】特許第４０７５０５１号
【発明の概要】
【発明が解決しようとする課題】
【０００５】
本発明は、上記の事情に鑑みて成されたものであり、その目的とするところは、構造の簡素化、部品点数の削減、装置の小型化、低コスト化、軽量化等を図りつつ、吸気系における配置が容易であり、スロットルバルブの駆動源による発熱を有効に（効率良く）利用して、スロットルバルブの周りにおける氷結（アイシング）等を確実に防止することができる吸気制御装置を提供することにある。
【課題を解決するための手段】
【０００６】
本発明に係る吸気制御装置は、樹脂材料により形成されて吸気通路を画定する通路部材と、通路部材に固定されて吸気通路と連通するスロットルボアを画定するスロットルボディと、スロットルボアを開閉するべくスロットルボディに設けられたスロットルバルブと、スロットルバルブを開閉駆動するための駆動力を生じる電動モータと、電動モータの駆動力をスロットルバルブに伝達する動力伝達機構と、電動モータから発せられる熱を伝える伝熱部材とを備えた吸気制御装置であって、上記スロットルボディは、スロットルボアを画定するべく金属材料により形成された筒状部と、一方側において筒状部及び電動モータを位置付けて保持しかつ他方側において動力伝達機構を位置付けて保持するように形成されたフランジ部とを有し、上記伝熱部材は、電動モータと筒状部との間に介在するように設けられ、上記通路部材は、吸気通路を横切る方向から，スロットルボディの筒状部，伝熱部材，及び電動モータを含むアセンブリを挿入する挿入口と、挿入口から挿入されたアセンブリを囲繞して収容する収容室とを有する、構成となっている。
この構成によれば、スロットルボディの（スロットルバルブが設けられた）筒状部、伝熱部材、及び電動モータを含むアセンブリが、通路部材の挿入口から収容室内に挿入されて固定されると、筒状部のスロットルボアが通路部材の吸気通路と連通し、筒状部、伝熱部材、及び電動モータが、樹脂材料により形成された通路部材により囲繞されるため、電動モータにより発せられた熱は、通路部材の壁面等から外部への放熱が抑制されつつ、伝熱部材を介して金属製の筒状部に効率良く伝わり、スロットルバルブの周りにおける氷結（アイシング）等を防止することができる。
また、電動モータは、スロットルボディに収容されるのではなく、通路部材の収容室に収容されるため、スロットルボディを小さく形成することができ、スロットルボディ、電動モータ、伝熱部材等を含むアセンブリの小型化、軽量化、低コスト化等を達成することができる。【０００７】
上記構成において、フランジ部は、筒状部とは別体に樹脂材料により形成され、筒状部は、フランジ部に固定されている、構成を採用することができる。
この構成によれば、スロットルボディのフランジ部は、樹脂材料により形成されるため、スロットルボディをより軽量化することができると共に、電動モータにより発せられた熱が、スロットルボディのフランジ部に伝わるのを又フランジ部を経て外部に放熱されるのを抑制することができ、伝熱部材を介して金属製の筒状部に効率良く伝えることができる。【０００８】
上記構成において、フランジ部は、通路部材の挿入口を閉塞するように通路部材に接合して固定されている、構成を採用することができる。
この構成によれば、スロットルボディ、伝熱部材、及び電動モータを含むアセンブリが、フランジ部を介して通路部材に堅固に固定されると共に、スロットルボディの筒状部、伝熱部材、及び電動モータが、樹脂材料により形成された通路部材及び樹脂材料により形成されたフランジ部により完全に囲繞されるため、電動モータにより発せられた熱は、外部への放熱がより確実に抑制されつつ、伝熱部材を介して金属製の筒状部に一層効率良く伝えられ得る。【０００９】
上記構成において、伝熱部材は、変形自在な材料からなる、構成を採用することができる。
この構成によれば、伝熱部材として変形自在な材料（例えば、シリコーンゲル等）を用いることにより、電動モータ（のモータハウジング）と筒状部との間に、相互の輪郭に合わせて自在に隙間なく充填することができ、伝熱効率を高めることができる。【００１０】
上記構成において、伝熱部材は、スロットルボディの筒状部と同一の金属材料により一体的に形成されている、構成を採用することができる。
この構成によれば、部品点数を削減することができると共に、電動モータから発せられた熱を筒状部の壁面領域により効率良く伝達することができる。【００１１】
上記構成において、スロットルボディのフランジ部には、動力伝達機構を覆うにように樹脂材料により形成されたカバー部材が組み付けられている、構成を採用することができる。
この構成によれば、フランジ部の外側に樹脂製のカバー部材が配置されるため、このカバー部材によっても電動モータから発せられた熱が外部に放熱されるのを抑制することができ、特に、フランジ部が筒状部と一体的に金属材料により形成された場合には、有効な放熱抑制効果が得られる。【００１２】
上記構成において、カバー部材には、スロットルバルブの開度位置を検出する位置センサ及び電気的接続を行うコネクタが配置されている、構成を採用することができる。
この構成によれば、フランジ部にカバー部材を取り付けるだけで、電動モータ及び位置センサの作動を可能とする構成を採ることができる。【００１３】
上記構成において、スロットルボディの筒状部は、スロットルボアの両端を画定する壁面が通路部材への挿入方向に向けて先細りするくさび状に形成されている、構成を採用することができる。
この構成によれば、スロットルボディを通路部材に組み付ける際に、筒状部を挿入して押さえ込むことで、スロットルボアの両端面と通路部材の吸気通路を画定する端面同士を、シール部材等を介して確実に密接させることができる。
【発明の効果】
【００１４】
上記構成をなす吸気制御装置によれば、構造の簡素化、部品点数の削減、装置の小型化、低コスト化、軽量化等を達成しつつ、吸気系における配置が容易であり、スロットルバルブの駆動源による発熱を有効に（効率良く）利用して、スロットルバルブの周りにおける氷結（アイシング）等を確実に防止することができる。
【図面の簡単な説明】
【００１５】
【図１】本発明に係る吸気制御装置の一実施形態を示す外観斜視図である。
【図２】本発明に係る吸気制御装置の一部（アセンブリ）を示す斜視図である。
【図３】図１に示す吸気制御装置を模式的に示した断面図である。
【図４】図２に示す吸気制御装置の一部（アセンブリ）の分解斜視図である。
【図５】図２に示す吸気制御装置の一部（アセンブリ）の分解斜視図である。
【図６】図２に示す吸気制御装置を吸気通路の伸長方向から視た断面図である。
【図７】本発明に係る吸気制御装置の他の実施形態を示す断面図である。
【発明を実施するための形態】
【００１６】
以下、本発明の実施の形態について、添付図面を参照しつつ説明する。
この吸気制御装置は、内燃エンジンの吸気系の一部をなす通路部材１０、通路部材１０に対して着脱自在に組み付けられるアセンブリＡを備えている。
アセンブリＡは、図２ないし図６に示すように、スロットルボディ２０、スロットルボディ２０に設けられたスロットルバルブ３０、スロットルバルブ３０を開閉駆動するための駆動力を生じる電動モータ４０、電動モータ４０の駆動力をスロットルバルブ３０に伝達する動力伝達機構５０、電動モータ４０から発せられる熱を伝える伝熱部材６０、スロットルボディ２０に組み付けられたカバー部材７０、スロットルバルブ３０の開度位置を検出する位置センサ８０、電動モータ４０の電気的接続を行うコネクタ９０等を備えている。
【００１７】
通路部材１０は、樹脂材料により形成されており、図１及び図３に示すように、吸気を内燃エンジンの吸気ポートに向けて導く吸気通路１１、吸気通路１１を横切る方向（伸長方向Ｌに対して略垂直な方向Ｘ）に向けて開口しアセンブリＡ（のスロットルボディ２０、電動モータ４０、及び伝熱部材６０）を挿入し得る挿入口１２、挿入口１２の周りに形成された取り付け部１３、挿入口１２から挿入されたアセンブリＡを囲繞して収容する収容室１４、アセンブリＡのスロットルボディ２０（の筒状部２１に形成されたスロットルボア２１ａの両端を画定する壁面２１ｂ）を接合するべく吸気通路１１の伸長方向Ｌにおいて対向する二つの接合面１７、吸気系の一部をなす上流側の吸気ダクトを接合するパイプ部１８等を備えている。
このように、通路部材１０は、金属材料等に比べて熱伝導率が低い樹脂材料により形成されているため、内部にこもった熱が通路部材１０の壁部を通して外部の空気中に放熱されるのを抑制することができる。
【００１８】
取り付け部１３には、図６に示すように、スロットルボディ２０の一部（後述するフランジ部２２）をネジＢにより締結するための雌ネジを画定する雌ネジ部材１３ａが埋設されている。また、別の取付手法としては、雌ネジ部材１３ａを用いず、タッピングネジ等を用いて、取り付け部１３に直接固定することもできる。
収容室１４は、挿入されたアセンブリＡ（のスロットルボディ２０及び電動モータ４０）の輪郭に所定の微小隙間をおいて沿うように形成されている。このように、収容室１４の内壁面とアセンブリＡとの間に微小隙間をあけて空気の層を設けることで、アセンブリＡ（筒状部２１及び電動モータ４０）から通路部材１０（外壁）への伝熱（放熱）を抑制することができる。
【００１９】
二つの接合面１７は、図３に示すように、互いに平行ではなく、アセンブリＡを通路部材１０の収容室１４に挿入する挿入方向Ｉ（収容室１４の奥側）に向けて互いに近づくように（先細りするように）形成されている。
【００２０】
スロットルボディ２０は、図２ないし図６に示すように、スロットルボア２１ａを画定する筒状部２１、一方側において筒状部２１及び電動モータ４０を位置付けて保持しかつ他方側において動力伝達機構５０を位置付けて保持すると共にカバー部材７０が取り付けられるように形成されたフランジ部２２等により構成されている。
【００２１】
筒状部２１は、熱伝導率の高い金属材料（例えば、アルミニウム材料）により形成されており、図２、図３、図６に示すように、通路部材１０に固定された状態で、吸気通路１１と連通するスロットルボア２１ａ、スロットルボア２１ａの両端を画定する二つの壁面２１ｂ、スロットルボア２１ａ内においてスロットルバルブ３０を開閉自在に支持するスロットルシャフト３１を回動自在に支持する軸受孔２１ｃ、フランジ部２２（の嵌合凸部２２ｂ）に嵌合する嵌合凹部２１ｄ、スロットルボア２１ａを画定する外壁２１ｅ、軸受孔２１ｃの先端側に形成された円筒部２１ｆ等を備えている。
二つの壁面２１ｂは、図３に示すように、通路部材１０の二つの接合面１７とそれぞれ対向するように、挿入方向Ｉ（収容室１４の奥側）に向けて先細りするくさび状に形成されている。
これによれば、スロットルボディ２０（筒状部２１）を通路部材１０に組み付ける際に、筒状部２１を挿入して押さえ込むようにフランジ部２２を締結固定することで、スロットルボア２１ａの端面２１ｂと通路部材１０の吸気通路１１を画定する端面（接合面１７）とを、ゴム材料等からなるシール部材Ｒ等を介して確実に密接させることができる。
【００２２】
フランジ部２２は、熱伝導率の低い樹脂材材料により形成されており、上下方向の二箇所において、ネジＢを通す貫通孔２２ａ、一方側（収容室１４に面する側）において、筒状部２１（の嵌合凹部２１ｄ）を嵌合する嵌合凸部２２ｂ、スロットルシャフト３１を回動自在に支持する軸受Ｇを嵌合して固定する凹部２２ｃ、筒状部２１をネジＢにより締結固定するための雌ネジ部２２ｄ、他方側（収容室１４と反対側の外側に面する側）において、動力伝達機構５０の一部を配置して保持する凹部２２ｅ、カバー部材７０を組み付ける結合部２２ｆ、電動モータ４０のフランジ４２を固定する固定部２２ｇ、電動モータ４０を他方側から通して一方側に位置付けるように形成された貫通孔２２ｈ、支軸２２ｉ等を備えている。
【００２３】
また、フランジ部２２は、通路部材１０の取り付け部１３に接合して固定されることで、通路部材１０の挿入口１２を閉塞するように形成されている。
これにより、アセンブリＡが、フランジ部２２を介して通路部材１０に堅固に固定されると共にその一部（筒状部２１、電動モータ４０、伝熱部材６０）が樹脂材料により形成された通路部材１０及び樹脂材料により形成されたフランジ部２２により完全に囲繞されるため、電動モータ４０により発せられた熱が外部へ放熱されるのをより確実に抑制することができる。
上記のような構成をなすスロットルボディ２０（筒状部２１及びフランジ部２２）によれば、電動モータ４０はスロットルボディ２０に収容されるのではなく、通路部材１０の収容室１４に収容されるため、スロットルボディ２０を小さく形成することができ、その結果、スロットルボディ２０、電動モータ４０、伝熱部材６０等を含むアセンブリＡの小型化、軽量化、低コスト化等を達成することができる。
【００２４】
スロットルバルブ３０は、図６に示すように、スロットルシャフト３１に締結固定されて、スロットルボア２１ａ内において通路を開閉自在に支持されている。
スロットルシャフト３１は、その一端側が筒状部２１の軸受孔２１ｃにより回動自在に支持され、その途中領域がフランジ部２２に設けられた軸受Ｇにより回動自在に支持され、その他端側において動力伝達機構５０の一部をなす歯車５２が一体的に回転するように固定されている。
【００２５】
電動モータ４０は、図４ないし図６に示すように、ロータ、コイル、磁石等を内蔵する略円筒状のモータハウジング４１、モータハウジンング４１の端面に固定されたフランジ４２、フランジ４２から突出する回転軸に固定された駆動歯車４３等を備えている。
そして、電動モータ４０は、モータハウジング４１がフランジ部２２の他方側から貫通孔２２ｈに通されて固定部２２ｇにネジＢにより締結固定されるようになっている。
そして、電動モータ４０がフランジ部２２に固定（保持）された状態で、モータハウジング４１がフランジ部２２の一方側において筒状部２１の直下に、所定の隙間をおいて位置付けられるようになっている。
尚、電動モータ４０が、通路部材１０の収容室１４に挿入される際には、必要に応じてスペーサ４４（図４及び図５参照）が嵌め込まれるようになっている。スペーサ４４としては、ウェーブワッシャ、Ｏリング等でもよい。
【００２６】
動力伝達機構５０は、図４ないし図６に示すように、（スロットルボディ２０の）フランジ部２２の他方側に配置されており、駆動歯車４３に噛合する大歯車５１ａ及び小歯車５１ｂを一体的に有する二段式の中間歯車５１、小歯車５１ｂに噛合すると共にスロットルシャフト３１に固定された従動歯車５２、スロットルバルブ３０を休止位置（例えば、通路を所定の微小角度だけ開放するアイドル開度、又は、始動可能な角度だけ開放するデフォルト開度の位置）に戻すようにスロットルシャフト３１を回転付勢する戻しバネ５３、戻しバネ５３を保持するホルダ５４等を備えている。
【００２７】
中間歯車５１は、フランジ部２２から突出する支軸２２ｉに嵌め込まれて回動自在に支持されている。
戻しバネ５３は、２つのホルダ５４の内側に保持された状態で、フランジ部２２の凹部２２ｅに配置され、その一端部がフランジ部２２に保持されたホルダ５４の一部に掛止され、その他端部が従動歯車５２に保持されたホルダ５４の一部に掛止されて、スロットルバルブ３０を休止位置に戻すように、スロットルシャフト３１に対して回転付勢力を及ぼすように形成されている。
【００２８】
伝熱部材６０は、図２及び図６に示すように、電動モータ４０のモータハウジング４１（の後端側領域の外周面）と筒状部２１（のスロットルボア２１ａを画定する外壁２１ｅとの間に介在するように設けられている。
ここで、伝熱部材６０としては、変形自在な材料（例えば、シリコーンゲル等）が用いられており、筒状部２１及び電動モータ４０がフランジ部２２に固定された後に、両者の間に介在するように充填される。
このように、伝熱部材６０が変形自在な材料からなるため、電動モータ４０（のモータハウジング４１）と筒状部２１の外壁２１ｅとの間に相互の輪郭に合わせて自在に隙間なく、伝熱部材６０を充填することができ、モータハウジング４１からスロットルボア２１ａを画定する（筒状部２１の）外壁２１ｅへの伝熱効率を高めることができる。
これにより、スロットルバルブ３０が配置されるスロットルボア２１ａの領域における水分の氷結等を確実に防止することができるようになっている。
【００２９】
カバー部材７０は、熱伝導率の低い樹脂材材料により形成されており、図１ないし図６に示すように、位置センサ８０及びコネクタ９０を保持すると共に、動力伝達機構５０を覆うように、フランジ部２２の他方側に形成された結合部２２ｆに接合させて、ネジＢにより取り付けられるようになっている。
このように、樹脂製のカバー部材７０がフランジ部２２の外側に配置されるため、電動モータ４０から発せられた熱が外部に放熱されるのを、フランジ部２２だけでなくカバー部材７０によっても抑制することができる。
また、カバー部材７０には、位置センサ８０及びコネクタ９０が配置されているため、複雑な配線等を必要とせず、フランジ部２２にカバー部材７０を取り付けるだけで、電動モータ４０及び位置センサ８０への通電回路及び信号検出回路を構成することができる。
【００３０】
位置センサ８０は、カバー部材７０の内壁側にその検知部が配置され、スロットルシャフト３１にその被検知部が配置され、両者の相互作用により得られる電気信号等に基づいて、スロットルシャフト３１すなわちスロットルバルブ３０の開度位置を検出するように形成されている。
コネクタ９０は、図１及び図５に示すように、カバー部材７０から突出ように形成されており、電動モータ４０を電気的に接続する端子及び位置センサ８０を電気的に接続する端子等を備えている。
【００３１】
次に、上記吸気制御装置の組付け手順について説明する。
先ず、動力伝達機構５０が、フランジ部２２の他方側に位置付けられるように、フランジ部２２及びスロットルシャフト３１の他端側に組付けられる。
続いて、スロットルバルブ３０を配置する筒状部２１が、フランジ部２２の一端側に位置付けらように、フランジ部２２に組み付けられる。
続いて、電動モータ４０が、貫通孔２２ｈを通してフランジ部２２の一方側に位置付けられるように、フランジ部２２に組み付けられる。
【００３２】
そして、カバー部材７０が、動力伝達機構５０を覆うようにフランジ部２２の他方側から近づけられて、フランジ部２２に組み付けられる。
その後、フランジ部２２の一方側に位置付けられた筒状部２１と電動モータ４０のモータハウジング４１との間に介在するように伝熱部材６０が設けられる。また、筒状部２１の二つの壁面２１ｂにシール部材Ｒが嵌め込まれる。
これにより、スロットルボディ２０（筒状部２１、フランジ部２２）、電動モータ４０、動力伝達機構５０、伝熱部材６０、カバー部材７０、位置センサ８０及びコネクタ９０等が一体的に組み付けられたアセンブリＡが完成する。
【００３３】
その後、このアセンブリＡが、吸気通路１１を横切る方向Ｘから通路部材１０に近づけられて、筒状部２１、電動モータ４０、伝熱部材６０が収容室１４に収容されるように、挿入口１２から挿入され、筒状部２１の二つの壁面２１ｂが通路部材１０の二つの接合面１７にシール部材Ｒを介して密接するように接合され、シール部材Ｒを圧縮するようにして、フランジ部２２が取り付け部１３に接合されつつネジＢにより締結固定される。
【００３４】
この組付けにより、筒状部２１のスロットルボア２１ａが通路部材１０の吸気通路１１と連通し、筒状部２１、電動モータ４０、及び伝熱部材６０が、樹脂材料により形成された通路部材１０（の壁部）により囲繞されるため、電動モータ４０により発せられた熱は、通路部材１０の壁面等から外部への放熱が抑制されつつ、伝熱部材６０を介してスロットルバルブ３０の周りの金属製の筒状部２１に効率良く伝わるような伝熱経路をもつ構造が得られる。
【００３５】
次に、上記吸気制御装置の動作について説明する。
電動モータ４０が非通電の状態において、スロットルバルブ３０は戻しバネ５３により休止位置に位置付けられている。
ここで、電動モータ４０が通電されると、回転駆動力が得られ、駆動歯車４１、中間歯車５１及び従動歯車５２を介して、スロットルシャフト３１及びスロットルバルブ３０が、回転駆動される。そして、通電の向きが適宜制御されることにより、スロットルバルブ３０が開き側又は閉じ側に適宜回転させられてその開度が調整される。
一方、電動モータ４０の通電が断たれると、戻しバネ５３の付勢力により、スロットルバルブ３０は初期の休止位置に戻される。
この電動モータ４０の作動中に、電動モータ４０から発せられた熱は、通路部材１０の壁面等から外部への放熱が抑制されつつ、収容室１４内において伝熱部材６０を介して筒状部２１に効率良く伝わるため、電動モータ４０による発熱を有効に（効率良く）利用して、特にエンジン停止後においてスロットルバルブ３０の周りに氷結（アイシング）が生じるのを防止することができる。
【００３６】
上記構成をなす装置によれば、構造の簡素化、部品点数の削減、装置の小型化、低コスト化、軽量化等を達成しつつ、吸気系における配置が容易であり、スロットルバルブ３０の駆動源（電動モータ４０）による発熱を有効に（効率良く）利用して、スロットルバルブ３０の周りにおける氷結（アイシング）等を確実に防止することができる。
【００３７】
図７は、本発明に係る吸気制御装置の他の実施形態を示すものである。
この実施形態においては、伝熱部材が筒状部２１´と同一の金属材料により一体的に形成された以外は、前述の実施形態と同一である。したがって、同一の構成については同一の符号を付して説明を省略する。
すなわち、筒状部２１´は、フランジ部２２に固定された電動モータ４０の熱を伝える伝熱部材としての伝熱片２１ｇを一体的に備えている。そして、伝熱片２１ｇは、電動モータ４０のモータハウジング４１と密接するように湾曲して形成された湾曲当接面２１ｇ´を画定している。
これによれば、伝熱部材として専用の部材を設ける必要がないため、部品点数を削減できると共に組付け工数を削減でき、電動モータ４０から発せられた熱を筒状部２１´の壁面領域により効率良く伝達することができる。また、発熱し易いモータ端部側へも伝熱片を接合することで、さらに効率の良い伝熱作用を得ることができる。
この実施形態に係る装置によれば、前述実施形態と同様に、構造の簡素化、部品点数の削減、装置の小型化、低コスト化、軽量化等を達成しつつ、吸気系における配置が容易であり、スロットルバルブ３０の駆動源（電動モータ４０）による発熱を有効に（効率良く）利用して、スロットルバルブ３０の周りにおける氷結（アイシング）等を確実に防止することができる。
【００３８】
上記実施形態においては、スロットルボディとして、筒状部２１，２１´が金属材料により形成されかつフランジ部２２が樹脂材料により形成されたスロットルボディ２０を示したが、これに限定されるものではなく、筒状部及びフランジ部が金属材料により一体的に形成されたものを採用してもよい。
この場合でも、フランジ部の外側には樹脂製のカバー部材７０が配置されるため、このカバー部材７０によって、フランジ部に伝わった熱が外部に放熱されるのを抑制することができ、同様に、電動モータ４０による発熱を有効に利用して、スロットルバルブ３０の周りにおける氷結（アイシング）等を確実に防止することができる。
また、上記実施形態においては、伝熱片２１ｇをモータハウジング４１と密接させて設けた場合を示したが、これに限定されるものではなく、モータハウジング４１と僅かに隙間をおいて設けられてもよい。
【産業上の利用可能性】
【００３９】
以上述べたように、本発明に係る吸気制御装置は、構造の簡素化、部品点数の削減、装置の小型化、低コスト化、軽量化等を達成しつつ、吸気系における配置が容易で、スロットルバルブの駆動源による発熱を有効に利用して、スロットルバルブの周りにおける氷結（アイシング）等を確実に防止できるため、特に、寒冷地にて使用される自動車、二輪車等に搭載される内燃エンジンの吸気制御装置として適しており、その他の内燃エンジンを搭載する車両等においても有用である。
【符号の説明】
【００４０】
Ｌ  吸気通路の伸長方向
Ｘ  吸気通路を横切る方向
Ｉ  挿入方向
Ａ  アセンブリ
１０  通路部材
１１  吸気通路
１２  挿入口
１３  取り付け部
１４  収容室
１７  接合面
１８  パイプ部
２０  スロットルボディ
２１，２１´  筒状部
２１ａ  スロットルボア
２１ｂ  壁面
２１ｃ  軸受孔
２１ｄ  嵌合凹部
２１ｅ  外壁
２１ｆ  円筒部
２１ｇ  伝熱片
２１ｇ´  湾曲当接面
２２  フランジ部
２２ａ  貫通孔
２２ｂ  嵌合凸部
２２ｃ  凹部
２２ｄ  雌ネジ部
２２ｅ  凹部
２２ｆ  結合部
２２ｇ  固定部
２２ｈ  貫通孔
２２ｉ  支軸
３０  スロットルバルブ
３１  スロットルシャフト
４０  電動モータ
４１  モータハウジング
４２  フランジ
４３  駆動歯車
５０  動力伝達機構
５１  中間歯車
５２  従動歯車
５３  戻しバネ
５４  ホルダ
６０  伝熱部材
７０  カバー部材
８０  位置センサ
９０  コネクタ
【図１】
2012141159.tif 000003
【図２】
2012141159.tif 000004
【図３】
2012141159.tif 000005
【図４】
2012141159.tif 000006
【図５】
2012141159.tif 000007
【図６】
2012141159.tif 000008
【図７】
2012141159.tif 000009
【国際調査報告】
2012141159.tif 000010
2012141159.tif 000011
2012141159.tif 000012
2012141159.tif 000013